(57)【要約】【課題】  カバーの大きさがシステム天井に対応していない照明灯具を柔軟にシステム天井に設置する技術を開示する。【解決手段】  複数の光源と、複数の光源が配置される第１面と、第１面の反対側の面である第２面と、を有する平面基板と、複数の光源を覆う凹部を有し、第１面側に配置される透光性カバーと、第２面側に配置され、平面基板を固定するベースプレートと、ベースプレートに固定される固定部と、第１面側からみた平面視で、透光性カバーから連続し、凹部の外縁よりも法線方向で最大１．０ｃｍ以上外側に延びる延長部と、を有する１または複数の支持部材と、を備え、凹部は、第１面と対向し、かつ、複数の光源から出射された光を透過させ照明灯具の外側へと出射させる、主照射面を有し、１または複数の支持部材の延長部の内縁は、第１面側からみた平面視で、主照射面よりも外側にある。【選択図】  図３
2022000837.tif 000002
【特許請求の範囲】
【請求項１】
建造物に設置される照明灯具であって、
複数の光源と、
前記複数の光源が配置される第１面と、前記第１面の反対側の面である第２面と、を有する平面基板と、
前記複数の光源を覆う凹部を有し、前記第１面側に配置される透光性カバーと、
前記第２面側に配置され、前記平面基板を固定するベースプレートと、
前記ベースプレートに固定される固定部と、前記第１面側からみた平面視で、前記透光性カバーから連続し、前記凹部の外縁よりも法線方向で最大１．０ｃｍ以上外側に延びる延長部と、を有する１または複数の支持部材と、
を備え、
前記凹部は、前記第１面と対向し、かつ、前記複数の光源から出射された光を透過させ前記照明灯具の外側へと出射させる、主照射面を有し、
前記１または複数の支持部材の前記延長部の内縁は、前記第１面側からみた平面視で、前記主照射面よりも外側にある照明灯具。
【請求項２】
前記１または複数の支持部材は、前記第１面側からみた平面視で、前記主照射面を囲い、かつ、前記主照射面の全周に亘って前記主照射面の外縁よりも法線方向で最大１．０ｃｍ以上外側に延びる請求項１に記載の照明灯具。
【請求項３】
前記透光性カバーは、外縁に形成され、前記凹部を囲うフランジ部をさらに有し、
前記支持部材は、前記凹部よりも外側で前記フランジ部を支持し、
前記延長部は、前記第１面に平行な平面であって、前記第１面に垂直な方向において、前記フランジ部と前記主照射面の間に位置する平面である請求項１または２に記載の照明灯具。
【請求項４】
前記フランジ部は、前記ベースプレートと前記支持部材に挟まれる請求項３に記載の照明灯具。
【請求項５】
前記１または複数の支持部材は、前記フランジ部の一部であって前記主照射面の外縁の一部に沿った部分である第１領域、を支持する第１支持部材と、前記フランジ部の他の一部であって前記主照射面の外縁の一部に沿った部分である第２領域、を支持し前記第１支持部材に固定される第２支持部材と、を含む、請求項３または４のいずれか一項に記載の照明灯具。
【請求項６】
前記第１面側からみた平面視で、前記主照射面の外形は矩形である請求項３または４のいずれか一項に記載の照明灯具。
【請求項７】
前記１または複数の支持部材は、
前記フランジ部の一部であって前記主照射面の外形の第１辺に沿った部分である第１領域、を支持する第１支持部材と、
前記フランジ部の他の一部であって前記主照射面の外形の第２辺に沿った部分である第２領域、を支持し、前記第１支持部材に固定される第２支持部材と、
前記フランジ部の他の一部であって前記主照射面の外形の第３辺に沿った部分である第３領域、を支持し、前記第１支持部材に固定される第３支持部材と、
前記フランジ部の他の一部であって前記主照射面の外形の第４辺に沿った部分である第４領域、を支持し、前記第２支持部材及び前記第３支持部材に固定される第４支持部材と、
を含む、請求項６に記載の照明灯具。
【請求項８】
前記第１面側からみた平面視で、前記１または複数の支持部材の前記延長部の外形は矩形である請求項１乃至７のいずれか一項に記載の照明灯具。
【請求項９】
前記照明灯具は、建築物の躯体に固設されている格子状の天井バーに設置され、
前記１または複数の支持部材の前記延長部の外形は、前記天井バーに設置され、隣り合って配置される天井材の外形と同じ大きさである請求項１乃至８のいずれか一項に記載の照明灯具。
【請求項１０】
建築物の天井に照明灯具を設置する方法であって、
請求項１乃至９のいずれか一項に記載される照明灯具を準備する工程と、
前記照明灯具と、天井裏に設けられた電気配線と、を電気的に接続する工程と、
前記照明灯具を、建築物の躯体に固設されている格子状の天井バーに設置する工程と、を有し、
前記照明灯具は、前記１または複数の支持部材を有さない状態では、前記照明灯具の周りに設置される天井材よりも、天井に平行な平面方向の大きさが小さいことを特徴とする設置方法。
【発明の詳細な説明】
【技術分野】
【０００１】
本発明は、照明灯具、及び、照明灯具の設置方法に関する。
【背景技術】
【０００２】
オフィスビル、工場、商業施設、あるいはこれらに限らずほとんど全ての建物において、照明は欠かせない要素となっている。また、ビルなどの建築物は、基礎工事から、躯体工事、仕上げ工事、設備工事、といった作業を経て建設され、照明灯具や空調機器などの電気設備は、躯体が出来上がった後に、天井に設置される。
【０００３】
天井に照明灯具を設置する方法には、天井材に適当に穴をあけ、その穴に照明灯具を固定する方法や、格子状に天井バーが固設されたシステム天井に取り付ける方法などがある。特許文献１には、システム天井に設置される照明灯具であって、ブラケットを用いて、ベースプレートとカバーとを固定する照明器具が開示されている。
【先行技術文献】
【特許文献】
【０００４】
【特許文献１】特開２０１５−２０４４号
【発明の概要】
【発明が解決しようとする課題】
【０００５】
特許文献１に開示される照明灯具では、システム天井の格子の枠の大きさにおよそ等しいカバーを用意しなければならない。
【課題を解決するための手段】
【０００６】
実施形態により開示される照明灯具は、建造物に設置される照明灯具であり、複数の光源と、前記複数の光源が配置される第１面と、前記第１面の反対側の面である第２面と、を有する平面基板と、前記複数の光源を覆う凹部を有し、前記第１面側に配置される透光性カバーと、前記第２面側に配置され、前記平面基板を固定するベースプレートと、前記ベースプレートに固定される固定部と、前記第１面側からみた平面視で、前記透光性カバーから連続し、前記凹部の外縁よりも法線方向で最大１．０ｃｍ以上外側に延びる延長部と、を有する１または複数の支持部材と、を備える。また、前記凹部は、前記第１面と対向し、かつ、前記複数の光源から出射された光を透過させ前記照明灯具の外側へと出射させる、主照射面を有し、前記１または複数の支持部材の前記延長部の内縁は、前記第１面側からみた平面視で、前記主照射面よりも外側にある。
【０００７】
また、実施形態により開示される照明灯具の設置方法は、上記の照明灯具を準備する工程と、前記照明灯具と、天井裏の電気配線と、を電気的に接続する工程と、前記照明灯具を、建築物の躯体に固設されている格子状の天井バーに設置する工程と、を有する。また、前記照明灯具は、前記１または複数の支持部材を有さない状態では、前記照明灯具の周りに設置される天井材よりも、天井に平行な平面方向の大きさが小さい。
【発明の効果】
【０００８】
本発明によれば、カバーの大きさがシステム天井に対応していない照明灯具についても柔軟に対応し、システム天井へと設置することができる。
【図面の簡単な説明】
【０００９】
【図１】図１は、第１実施形態に係る建築物の居室を説明する模式図である。
【図２】図２は、建築物が建設されるまでの工程を説明するためのフロー図である。
【図３】図３は、第１実施形態に係る照明灯具の模式的な斜視図である。
【図４】図４は、第１実施形態に係る照明灯具の模式的な斜視図である。
【図５】図５は、第１実施形態に係る照明灯具の照明部の斜視図である。
【図６】図６は、第１実施形態に係る照明灯具の照明部の構造を説明するための模式図である。
【図７】図７は、第１実施形態に係る照明灯具が設置された状態を示す模式図である。
【図８】図８は、第１実施形態に係る照明灯具が設置された状態を示す模式図である。
【図９】図９は、第２実施形態に係る照明灯具の模式的な斜視図である。
【図１０】図１０は、第３実施形態に係る照明灯具の模式的な斜視図である。
【図１１】図１１は、第３実施形態に係る照明灯具を第１面側からみた平面図である。
【図１２】図１２は、第３実施形態に係る照明灯具を第２面側からみた平面図である。
【図１３】図１３は、第３実施形態に係る照明灯具が設置された状態を説明するための断面図である。
【図１４】図１４は、第４実施形態に係る照明灯具の模式的な斜視図である。
【図１５】図１５は、第４実施形態に係る照明灯具が設置された状態を説明するための断面図である。
【図１６】図１６は、第５実施形態に係る照明灯具を第１面側からみた平面図である。
【発明を実施するための形態】
【００１０】
本明細書または特許請求の範囲において、三角形や四角形などの多角形に関しては、多角形の隅に角丸め、面取り、角取り、丸取り等の加工が施された形状も含めて、多角形と呼ぶものとする。また、隅（辺の端）に限らず、辺の中間部分に加工が施された形状も同様に、多角形と呼ぶものとする。つまり、多角形をベースに残しつつ、部分的な加工が施された形状は、本明細書及び特許請求の範囲で記載される“多角形”の解釈に含まれるものとする。
【００１１】
また、多角形に限らず、台形や円形や凹凸など、特定の形状を表す言葉についても同様である。また、その形状を形成する各辺を扱う場合も同様である。つまり、ある辺において、隅や中間部分に加工が施されていたとしても、“辺”の解釈には加工された部分も含まれる。なお、部分的な加工のない“多角形”や“辺”を、部分的に加工された形状と区別する場合は“厳密な”を付して、例えば、“厳密な四角形”などと記載するものとする。
【００１２】
また、本明細書または特許請求の範囲において、上下、左右、表裏、前後、手前と奥、などの表現は、相対的な位置、向き、方向などの関係を述べるに過ぎず、実際の使用時における位置、向き、方向などの関係と一致していなくてもよい。
【００１３】
また、本明細書または特許請求の範囲において、ある構成要素に関し、これに該当するものが複数あり、それぞれを区別して表現する場合に、その構成要素の頭に“第１”、“第２”と付記して区別することがある。また、本明細書と特許請求の範囲とで区別する対象や観点が異なる場合、本明細書と特許請求の範囲との間で、同一の付記が、同一の対象を指さない場合がある。
【００１４】
例えば、本明細書において“第１”、“第２”、“第３”と付記されて区別される対象があり、本明細書の“第１”及び“第３”のみを対象として特許請求の範囲を記載する場合に、見易さの観点から特許請求の範囲においては“第１”、“第２”と付記して区別することがある。この場合、特許請求の範囲において“第１”、“第２”と付記された対象が、本明細書において“第１”“第３”と付記された対象を指すことになる。
【００１５】
本発明を実施するための形態を、図面を参照しながら以下に説明する。ただし、以下に示す形態は、本発明の技術思想を具体化するためのものであって、本発明を限定するものではない。さらに以下の説明において、同一の名称、符号については同一もしくは同質の部材を示しており、詳細説明を適宜省略する。なお、各図面が示す部材の大きさや位置関係等は、説明を明確にするために誇張していることがある。
【００１６】
＜第１実施形態＞
第１実施形態に係る照明灯具の設置プロセスを説明する。図１は、実施形態に係る建築物１における居室の構造の一例を説明するための模式的な図である。
【００１７】
建築物１は、一般的なオフィスビルのように、複数階の構造を有し、通路と居室を有している。なお、実施形態に係る建築物１はこれに限る必要はなく、例えば、一階建ての建築物であってもよい。また、地下鉄の駅構内のように地上ではなく地下に造られる建築物であってもよい。
【００１８】
建築物１では、天井２と床３を有する居室空間が形成される。また、居室空間の上方には天井２が、下方には床３がある。以下、空間を形成する１又は複数の面については、その方向と併せて呼ぶことで、それぞれを特定する。例えば、天井２のようにその空間の上方に位置する面を上方面、床３のようにその空間の下方に位置する面を下方面と呼ぶものとする。
【００１９】
居室空間の側面には、壁４や窓５が形成される。なお、側面には窓がなくてもよい。壁４は、居室空間の側方面を形成しているといえる。
【００２０】
天井２には、１または複数の照明灯具１０と、複数の天井材２０と、が設置される（図７参照）。また、その他にも、空調機器や、非常灯、スプリンクラー、スピーカーなどが設置され得る。天井２に設置された１または複数の照明灯具１０によって、居室空間に照明が照らされる。照明灯具１０が照明を届ける空間を、その照明灯具１０の照明空間と呼ぶものとする。図１の例では、天井２の裏側、所謂天井裏は、１または複数の照明灯具１０の照明空間ではない。
【００２１】
１または複数の照明灯具１０は、天井２の裏側で、建築物１に備わる電気配線３０と接続する（図８参照）。ここで、天井２を境にして、天井２の裏側に形成される空間を、天井裏空間と呼ぶものとする。複数の照明灯具１０のそれぞれが電気配線３０と接続してもよく、複数の照明灯具１０のうちの１つが電気配線３０と接続し、リレー方式で照明灯具１０間を電気的に接続させてもよい。
【００２２】
天井裏空間には、照明灯具１０に限らず、空調機器など、その他の電気接続機器への電源供給のためにも電気配線３０が用意され得る。一般には、天井裏空間には複数の電気配線３０が用意されている。天井裏空間に用意される複数の電気配線３０は建築物１の配管を通って設けられている。
【００２３】
また、電気配線３０の他に、ダクトなども設けられる。また、ネットワーク接続のための通信配線が設けられる。天井裏空間においては、天井２が下方面となり、躯体が上方面となる。天井裏空間は、１または複数の照明灯具１０のための電気配線３０が用意される配線配備空間であるともいえる。
【００２４】
天井２は、天井下地に複数の天井材２０が設置されて形成される。また、天井２は、天井下地に１または複数の照明灯具１０が設置されて形成される。複数の天井材２０、及び、１または複数の照明灯具１０はそれぞれ、天井２を構成する一部である。
【００２５】
天井下地は、複数の天井バー４０によって形成される。また、天井バー４０は、躯体から吊るされる吊り材に接続され、建築物１の躯体に支持される。天井バー４０の典型的な一例として、Ｔバーと呼ばれる部品がある。
【００２６】
天井下地は、天井２を構成する複数の対象物を設置するための骨組みといえる。従って、天井バー４０は、天井２の骨組みを形成する部品である。例えば、天井材２０は、天井バー４０であるＴバーに引っ掛けて設置することができる。
【００２７】
複数の天井バー４０は、所定の間隔をあけて並べて設置される。また、複数の天井バー４０によって、等間隔に格子状の骨組み（フレーム）が形成される。天井下地に複数の天井材２０が設置されて居室空間の上方面が形成される。１の天井材２０は、天井下地の１つの格子に設置される。
【００２８】
天井材２０が天井２を構成する領域の形状は、天井下地の格子の形状と同じである。なお、ここでの同じとは、実質的に同じであることを意味し、僅かな大小の差は含むものとする。例えば、格子の大きさを天井バー４０によって形成される空間と定義すると、天井バー４０の幅を埋めるために、天井材２０が天井２を構成する領域の形状は、格子よりも僅かに大きくなることが考えられる。また例えば、設計上、隙間なく天井材２０を敷き詰めて天井２を形成するのではなく、天井バー４０の一部を露出させる程度の隙間を設けることも考えられる。ここでの同じの解釈に、このようなレベルの大小は影響しないものとする。
【００２９】
複数の天井材２０によって、同一平面上に拡がる上方面が形成される。ここで、複数の天井材２０によって形成される居室空間の上方面であって、同一平面上にある面を、天井面と呼ぶものとする。１つの居室空間が有する天井面は１つとは限らない。つまり、１つの居室空間内に、高さの異なる複数の天井面が形成されてもよい。
【００３０】
建築物１では、照明灯具１０は、天井下地の格子に設置される。照明灯具１０も、天井材２０と同様に、天井２を構成する領域の形状が、１つの格子の形状と同じになっている。照明空間側における照明灯具１０の外形と、天井バー４０に設置され、照明灯具１０と隣り合って配置される天井材２０の外形とは、同じ大きさである。また、照明灯具１０の少なくとも一部は、照明灯具１０が設置される格子の周りに設置されている天井材２０と共に、天井面を形成する。
【００３１】
図２は、建築物１が建設されるまでの工程を説明するためのフロー図である。ここでは、更地の状態から建築物１が建設されるまでの典型的な一例を説明する。なお、照明灯具１０は、更地から作り上げる建築物１に設置される他、既に建設されている建築物１の改修において設置することもできる。
【００３２】
オフィスビルのような大規模な建築物の建設では、総合建設業者が、建設工事の発注を請負い、種々の業者によって作業される建設工事の全体を取りまとめる。土木工事の作業員、電気工事の作業員、配管工事の作業員など、種々の業者の作業員から、各工程で行われる作業内容に応じて、適当な作業員を働かせる必要があるためである。
【００３３】
まず、設計士やデザイナーによって建築物の設計が行われる（ステップＳ１）。この工程において、通路や居室のレイアウトなどが決められ、建築物１の全体的なデザインが設計図面に記される。また、採用する建築材料や、照明灯具などの電気設備資材についてもある程度決められ、その配置についても図面に記される。
【００３４】
次に、決められた設計に基づいて、建築材料や建設機械が用意され、基礎工事が行われる（ステップＳ２）。この工程では、杭工事や土工事により建築物の荷重に耐え得る安定した地盤を確保する。
【００３５】
次に、安定した地盤の上に建築物の躯体を形成する躯体工事が行われる（ステップＳ３）。躯体工事は、基礎部分や、地下階を有する場合には地下部分から工事が始まり、地上階へと進んでいく。コンクリートの打設、柱の建込み、鉄骨の組み立てなどを行い、建築物１の全体の骨組みとなる躯体（構造躯体ともいう）が完成する。また、外壁、屋上、各階の床下等にもコンクリートが打設される。
【００３６】
また、躯体工事では、後の内装工事において吊りボルトなどの吊り材を繋げるため、構造躯体を形成する構造材にインサートが埋め込まれる。例えば、吊りボルトを固定するための天井インサートを、上階の床スラブ（鉄筋コンクリートの床板など）の打設時にスラブの一部として固定する。
【００３７】
次に、建築物の外装工事が行われる（ステップＳ４）。外装工事により、建築物１の外形が形成される。外壁のタイル張りや、窓サッシ、窓ガラス、カーテンウォールなどが取り付けられる。また、塗装なども行われる。
【００３８】
次に、内装工事が行われる（ステップＳ５）。内装工事では、床３、壁４、そして、天井２を作り上げる。天井２を設置する天井工事では、ステップＳ３の躯体工事で設けられた天井インサートに吊り材を繋げ、さらにこの吊り材に天井バー４０を繋げて、天井下地を形成する。そして、天井下地に天井材２０が設置される。なお、この段階では、照明灯具１０は、天井下地に設置されていない。
【００３９】
天井インサートをコンクリートの打設の際に設置する代わりに、打設後にコンクリートにアンカーを打って、躯体に吊り材を固定することもできる。また、内装工事では、電気配線３０を配管内に通し、天井裏空間に電気配線３０を用意する作業も行われる。
【００４０】
電気配線を設ける配線工事では、設計図面に基づき、必要な数の電気配線３０が設けられる。必要な電気配線３０の数は、天井裏に設置される空調機器や照明灯具などの電気接続機器の設置台数に応じて決まる。
【００４１】
内装工事を終えると、次に、設置工事が行われる（ステップＳ６）。設置工事では、建築物を実際に利用する際に必要になる種々の設備が設置される。例えば、電気、ガス、水道、排水、空調、トイレ、防災、放送などの設備や、照明、エスカレーター、エレベーターなどの設備が配置される。
【００４２】
設置工事における照明灯具１０の設置作業によって、１または複数の照明灯具１０が天井下地に設置される。まず、作業者は、照明灯具１０を準備する。次に準備した照明灯具と、天井裏に設けられた電気配線３０と、を電気的に接続する。そして、照明灯具１０を躯体に固設されている格子状の天井バー４０に設置する。照明灯具１０は、吊り材と繋がっている天井バー４０により、安定して躯体に支持される。
【００４３】
次に、実施形態に係る照明灯具１０について説明する。図３及び図４は、実施形態に係る照明灯具１０の一例を示す模式的な図である。図３は主照射面側からみた照明灯具１０の斜視図であり、図４は取付面側からみた照明灯具１０の斜視図である。主照射面は、建築物１において照明空間内にある。取付面は、建築物１において配線設備空間内にある。
【００４４】
照明灯具１０は、照明部１１と、拡張部１２と、を有する。照明部１１は、複数の光源１１１、複数の光源１１１が配置される基板１１２、基板１１２に配置された複数の光源１１１を覆う透光性のカバー１１３、及び、基板１１２を固定するベースプレート１１４、を有する。また、照明部１１は、照明の設置工事において、電気配線３０と電気的に接続するための電気接続部１１５を有する。拡張部１２は、照明部１１に固定される１または複数の支持部材１２１と、支持部材１２１に固定され、天井バー４０に取り付けられる複数の取付部１２４と、を有する。
【００４５】
図５及び図６は、照明部１１を説明する図である。図５は、主照射面側からみた照明部１１の斜視図であり、図６は、照明部１１の構造を説明するための模式図である。
【００４６】
光源１１１は、ＬＥＤである。なお、ＬＥＤでなくてもよく、例えば、ＬＤやＯＬＥＤによる光源であってもよい。複数の光源１１１は、基板１１２に並べて配置される。また、複数の光源１１１は、同じ色の光を発する。例えば、複数の光源１１１は、白色の光を発する。なお、複数の光源１１１によって異なる色の光が発されてもよい。また、１の光源１１１によって異なる色の光が発されてもよい。
【００４７】
基板１１２は、複数の光源１１１が配置される光源配置面（第１面）を有する。また、基板１１２の配置面は、平面である。従って、基板１１２は平面形状の配置面を有した平面基板であるといえる。また、基板１１２は、第１面と反対側の面（第２面）を有する。基板１１２の第２面側には、ベースプレート１１４が配置される。また、基板１１２は、ベースプレート１１４に固定される。
【００４８】
カバー１１３は、基板１１２の第１面に配置された複数の光源１１１を覆うようにして取り付けられる。また、カバー１１３は、照明空間内に配置される。複数の光源１１１は、基板１１２とカバー１１３によって囲まれた空間、または、ベースプレート１１４とカバー１１３によって囲まれた空間に配置される。
【００４９】
カバー１１３は、基板１１２の第１面と対向する主面１１３Ａを有する。また、カバー１１３は、主面１１３Ａの外縁から第１面側へと延びる１または複数の側面１１３Ｂを有する。
【００５０】
カバー１１３の主面１１３Ａは、複数の光源１１１から発された光が外部へと照射される主照射面となる。つまり、カバー１１３の主面１１３Ａが、照明灯具１０の主な発光面となる。また、複数の光源１１１から発された光は、カバー１１３の側面１１３Ｂからも、外部へと照射される。
【００５１】
カバー１１３は、主面１１３Ａと１または複数の側面１１３Ｂによる凹部を有している。カバー１１３の凹部は、複数の光源１１１を覆う。図示される照明灯具１０の例では、第１面側からみた平面視で、主面１１３Ａの外形は矩形で構成される。また、主面１１３Ａは、一辺が３０ｃｍ以上の長方形で形成される。なお、主面１１３Ａの外形は矩形でなくてもよく、例えば、円形や、楕円形などであってもよい。ここで、第１面側と、主照射面側と、は同じである。また、第２面側と、取付面側と、は同じである。
【００５２】
カバー１１３は、光源１１１が発する光に対し透光性を有する。主面１１３Ａ及び１または複数の側面１１３Ｂは、複数の光源１１１から発される光に対して透光性を有する。主面１１３Ａおよび１または複数の側面１１３Ｂは、複数の光源１１１から出射された光を透過させ照明灯具１０の外側へと出射させる。また、カバー１１３は、複数の光源１１１が発する光に対して光拡散性を有する。
【００５３】
カバー１１３は、例えば透光性の樹脂部材に酸化チタン等を分散させて形成することができる。また、カバー１１３は、乳白色に形成される。なお、乳白色に限らなくてもよい。樹脂部材としては、例えばアクリル樹脂を採用することができ、例えばポリメタクリル酸メチル樹脂を採用することができる。
【００５４】
ベースプレート１１４は、基板１１２が配置される基板配置面を有する。また、ベースプレート１１４の基板配置面とは反対側の面に、電気接続部１１５が配される。電気接続部１１５が配される面は、取付面側に位置する。
【００５５】
ベースプレート１１４は、例えば金属板であり、光源から発生する熱に対する放熱板として機能する。電気接続部１１５は、電力の供給を受けるための電気的な接続口である。例えば、電気接続部１１５は、コネクタである。
【００５６】
照明部１１のカバー１１３の主面１１３Ａからベースプレート１１４までの長さ（厚さ方向の長さ）は３．０ｃｍを超えない。例えば、厚さ方向の長さが１．５ｃｍ以上２．５ｃｍ以下の範囲内にある。また、照明部１１によって照明空間に照射される照明は、３０００ｌｍ以上の明るさを有している。また、照明部１１の主照射面の面積は、少なくとも９００ｃｍ２以上である。なお、これらの条件の１以上を満たさない照明部１１であってもよい。例えば、３．０ｃｍを超える厚みを有していてもよい。
【００５７】
支持部材１２１は、固定部１２２と、延長部１２３と、を有する。固定部１２２は、照明部１１に固定するための部分である。固定部１２２は、ベースプレート１１４に固定される。また、固定部１２２は、取付面側に配される。また、固定部１２２は、配線設備空間内に位置する。例えば、固定部１２２のねじ穴を利用してベースプレート１１４とねじ止めし、支持部材１２１を照明部１１に固定することができる。
【００５８】
延長部１２３は、天井面に平行な平面方向に関して、照明灯具１０の大きさを天井下地の格子の大きさに合わせるために、照明部１１では足りない領域を補う部分である。照明灯具１０では、１または複数の支持部材１２１を有さない状態では、天井２に平行な平面方向の大きさが、照明灯具１０が設置される天井バー４０による格子の大きさよりも小さい。または、照明灯具１０の周りに設置される天井材２０よりも小さい。
【００５９】
延長部１２３は、天井面に平行な平面方向に延びる平面で構成される。延長部１２３は、天井下地に照明灯具１０が設置された状態で、隣の格子に設置される天井材２０と、同一平面上に配置される。つまり、隣の格子に設置される天井材２０と共に、天井面を形成する。
【００６０】
また、延長部１２３は、第１面側からみた平面視で、カバー１１３から連続し、カバー１１３の凹部の外縁よりも法線方向で最大０．５ｃｍ以上外側に延びる。またあるいは、最大１．０ｃｍ以上外側に延びる。またあるいは、最大２．５ｃｍ以上外側に延びる。またあるいは、最大５．０ｃｍ以上外側に延びる。
【００６１】
また、延長部１２３は、第１面側からみた平面視で、カバー１１３から連続し、カバー１１３の凹部の外縁よりも法線方向で少なくとも０．５ｃｍ以上外側に延びる。またあるいは、少なくとも１．０ｃｍ以上外側に延びる。またあるいは、少なくとも２．５ｃｍ以上外側に延びる。またあるいは、少なくとも５．０ｃｍ以上外側に延びる。
【００６２】
例えば、主照射面が矩形の照明部１１として、一辺が４５ｃｍの照明部１１と、一辺が５７ｃｍの照明部１１と、を用意する。天井下地の格子間距離の典型的な一例としては、格子間距離が６０ｃｍ程度のものがある。なお、６０ｃｍ程度としたのは、格子間距離については、あらゆる建物で厳密に等しくなっているわけではなく、ある程度の範囲があるためである。例えば、格子間距離が６４ｃｍの場合もある。延長部１２３により長さを補うことで、これら２つのサイズの照明部１１をシステム天井に設置することができる。また、延長部１２３により長さを補うようにすれば、照明部１１の主照射面の大きさを調整するよりも、微調整がしやすい。
【００６３】
またさらに、一辺が４５ｃｍの照明部１１や一辺が５７ｃｍの照明部１１は、システム天井ではなく、天井材２０に設置するような場合にも利用することができる。この場合は、照明部１１に拡張部１２を固定する必要はない。つまり、少なくとも照明部１１を有し、選択的に照明部１１に固定される拡張部１２を有する照明灯具１０は、天井下地への設置や天井材２０への設置に柔軟に対応することができる。
【００６４】
１または複数の支持部材１２１は、第１面側からみた平面視で、カバー１１３の主照射面を囲い、かつ、主照射面の全周に亘って主照射面の外縁よりも法線方向で最大０．５ｃｍ以上外側に延びる。またあるいは、最大１．０ｃｍ以上外側に延びる。またあるいは、最大２．５ｃｍ以上外側に延びる。またあるいは、最大５．０ｃｍ以上外側に延びる。
【００６５】
１または複数の支持部材１２１は、第１面側からみた平面視で、カバー１１３の主照射面を囲い、かつ、主照射面の全周に亘って主照射面の外縁よりも法線方向で少なくとも０．５ｃｍ以上外側に延びる。またあるいは、少なくとも１．０ｃｍ以上外側に延びる。またあるいは、少なくとも２．５ｃｍ以上外側に延びる。またあるいは、少なくとも５．０ｃｍ以上外側に延びる。
【００６６】
また、延長部１２３によって、照明灯具１０の大きさがカバー１１３の凹部の大きさよりも、天井面に対応する面方向に１．０ｃｍ以上拡張される。またあるいは、２．０ｃｍ以上拡張される。またあるいは、５．０ｃｍ以上拡張される。またあるいは、１０．０ｃｍ以上拡張される。
【００６７】
第１面側からみた平面視で、照明部１１は、１または複数の支持部材１２１に囲まれる。１または複数の支持部材１２１は、第１面側からみた平面視で、照明部１１の主照射面の全周を囲う。また、第１面側からみた平面視で、１または複数の支持部材１２１の延長部１２３の外形は矩形である。１または複数の支持部材１２１の延長部１２３の外形が、照明空間側における照明灯具１０の外形となる。
【００６８】
図示される照明灯具１０では、矩形の外形の各辺に沿って、それぞれ支持部材１２１が固定されている。そのため、４つの支持部材１２１の固定部１２２がベースプレート１１４に固定されている。
【００６９】
また、第１面側からみた平面視で、１または複数の支持部材１２１の延長部１２３は、カバー１１３の主面１１３Ａとは重ならない。また、１または複数の支持部材１２１の延長部１２３の内縁は、第１面側からみた平面視で、主面１１３Ａよりも外側にある。また、１または複数の支持部材１２１の内縁は、第１面側からみた平面視で、主面１１３Ａよりも外側にある。
【００７０】
また、主面１１３Ａは、照明空間において、延長部１２３よりも下方に突出する。また、カバー１１３の１または複数の側面１１３Ｂの少なくとも一部は、照明空間において露出する。例えば、１または複数の側面１１３Ｂは、上下方向に１．０ｃｍ以上の幅を有して露出している。
【００７１】
支持部材１２１は、厚さ３．０ｍｍ未満の板材、つまり薄板から形成することができる。薄板で形成することで、支持部材１２１の軽量化に貢献できる。なお、薄板でなくてもよい。例えば、厚さ３．０ｍｍ以上６．０ｍｍ未満の中板などを使用してもよい。
【００７２】
支持部材１２１は、例えば、薄鋼板を、適当な形状に加工して形成することができる。薄鋼板は、曲げや切断などの加工が容易な、加工性に優れた材料である。また、支持部材１２１は、下面側からみえる面に塗装を施したカラー鋼板を用いて形成することができる。図示される支持部材１２１の下面側からみえる面は、白色に塗装されている。なお、支持部材１２１は鋼板に限らず、金属その他の材料から形成することができる。また、塗装を施す場合、白色以外の色に塗装されていてもよい。
【００７３】
図示される照明灯具１０では、天井面に平行な平面において、照明部１１の外形、つまり、カバー１１３の主面１１３Ａの外形が、一辺４５ｃｍの正方形であり、照明灯具１０の外形が、一辺６０ｃｍの正方形となっている。従って、第１面側からみた平面視で、延長部１２３が、主面１１３Ａの正方形の各辺から、辺に垂直な方向に７．５ｃｍ延びるようにして、各辺に対応する拡張部１２は照明部１１に固定されている。
【００７４】
なお、延長部１２３によって延長される長さはこの例に限らない。必要な照明を照らすのに十分な発光面の大きさを照明部１１が確保し、その上で、１または複数の支持部材１２１によって照明灯具１０の大きさを拡張することで、天井材２０の大きさ、または、天井下地の格子の大きさに照明部１１の大きさを合わせる必要がなくなる。
【００７５】
このように、照明部１１の主照射面の形状に依存せずに、天井下地の格子に合わせた大きさで照明灯具１０を実現するという目的に照らせば、１または複数の支持部材１２１によって、少なくとも１．０ｃｍ以上は拡張されるのが適当であり、また、格子間距離の二分の一以下で拡張されるのが好ましい。
【００７６】
取付部１２４は、照明灯具１０を天井バー４０に取り付けるための部品であり、例えば、フックの形状を有している。取付部１２４は、照明の設置工事において、躯体に固設されている格子状の天井バー４０に照明灯具１０を設置するために用いられる。複数の取付部１２４が、天井バー４０に取り付けられる。例えば、フック形状の取付部１２４をＴバーである天井バー４０に引っ掛けて、取り付けることができる。取付部１２４は、取付面側に設けられる。また、取付部１２４は、配線設備空間内に位置する。
【００７７】
図７及び図８は、照明灯具１０が天井２に設置された状態を示す図である。図７は、照明空間側（居室空間側）からみた斜視図であり、図８は、配線設置空間側（天井裏空間側）からみた斜視図である。
【００７８】
図７に示すように、照明灯具１０の延長部１２３は、照明灯具１０の周りに設置される天井材２０によって形成される天井面と同じ平面上に設けられる。また、主照射面となるカバー１１３の主面１１３Ａは、天井面よりも下方に突出する。また、カバー１１３の１または複数の側面１１３Ｂが、照明空間において露出する。これにより、１または複数の側面１１３Ｂから出射される光も、照明の一部として利用することができる。
【００７９】
また、図８に示すように、天井裏では、拡張部１２によって天井下地の格子と同じ大きさとなった照明灯具１０の外縁に設けられた複数の取付部１２４が、天井バー４０に取り付けられている。これにより、照明灯具１０が天井バー４０に支持される。
【００８０】
＜第２実施形態＞
次に第２実施形態に係る照明灯具１０Ａについて説明する。図９は、照明灯具１０Ａの斜視図である。照明灯具１０Ａは、照明部１１におけるカバー１１３の主面１１３Ａと、拡張部１２における支持部材１２１の延長部１２３とが、同一平面上に設けられている点で、第１実施形態の照明灯具１０と異なる。そのため、カバー１１３の１又は複数の側面１１３Ｂは、照明空間において露出しない。その他の点については、照明灯具１０に対して説明した内容と同様である。
【００８１】
照明灯具１０Ａによれば、天井２に設置したときに、照明空間側からみて、天井材２０と照明灯具１０Ａが、同一平面上に並んで配置されるため、１または複数の照明灯具１０Ａと１または複数の天井材２０とで構成される１の天井面を設けることができる。
【００８２】
＜第３実施形態＞
次に第３実施形態に係る照明灯具１０Ｂについて説明する。図１０は、照明灯具１０Ｂの斜視図である。図１１は、照明灯具１０Ｂを第１面側からみた平面図である。図１２は、照明灯具１０Ｂを第２面側からみた平面図である。また、図１３は、照明灯具１０Ｂが天井２に設置された状態における断面図である。
【００８３】
図示される照明灯具１０Ｂは、図示される第１実施形態に係る照明灯具１０と比べ、主照射面の大きさに対して延長部１２３によって拡張される長さの割合が小さい。また、照明灯具１０Ｂでは、照明部１１のカバー１１３に、フランジ部１１３Ｃが設けられている。
【００８４】
フランジ部１１３Ｃは、カバー１１３の外縁に形成され、カバー１１３の凹部を囲うようにして設けられる。また、フランジ部１１３Ｃは、支持部材１２１によって支持される。また、このフランジ部１１３Ｃが、ベースプレート１１４と支持部材１２１の延長部１２３とに挟まれている。これにより、カバー１１３は支持部材１２１に支持される。
【００８５】
第１面側からみた平面視で、カバー１１３の外縁は、１または複数の支持部材の延長部１２３によって隠れている。また、第１面側からみた平面視で、カバー１１３の１または複数の側面１１３Ｂは、１または複数の支持部材の延長部１２３よりも内側にある。
【００８６】
天井２に垂直な平面視で、天井面に平行な方向に関し、延長部１２３の長さは、天井バー４０とカバー１１３の間の距離よりも大きい。また、フランジ部１１３Ｃは、延長部１２３及び天井材２０が形成する天井面よりも上方に位置する。また、延長部１２３は、第１面に平行な平面であって、第１面に垂直な方向において、フランジ部１１３Ｃと主面１１３Ａの間に位置する平面で構成される。
【００８７】
照明灯具１０Ｂにおいて、１または複数の支持部材１２１は、フランジ部１１３Ｃの一部であって主面１１３Ａの外縁の一部に沿った部分である領域を支持する支持部材と、フランジ部１１３Ｃの他の一部であって主面１１３Ａの外縁の一部に沿った部分である領域を支持する他の支持部材と、を含む。前者を第１支持部材１２１、後者を第２支持部材１２１とすると、第２支持部材１２１は第１支持部材１２１に固定される。
【００８８】
図示される照明灯具１０Ｂでは、１または複数の支持部材１２１は、それぞれフランジ部１１３Ｃの一部であって矩形の主面１１３Ａの外形の各辺（第１辺から第４辺）に沿った部分である領域を支持する４つの支持部材を含む。また、この第２辺に対応する支持部材１２１は第１辺に対応する支持部材１２１に固定され、第３辺に対応する支持部材１２１は第１辺に対応する支持部材１２１に固定され、第４辺に対応する支持部材１２１は第２辺及び第３辺に対応する支持部材１２１に固定される。
【００８９】
複数の支持部材１２１を用いて主照射面の周りを囲うことで、支持部材１２１の取り付け位置の微調整がしやすくなる。
【００９０】
照明灯具１０Ｂの温度は、使用時間や、外気温、季節などによって変動するため、この変動によってカバー１１３は膨張収縮を起こす。照明灯具１０Ｂでは、フランジ部１１３Ｃを挟むようにしてカバー１１３を支持するため、カバー１１３の膨張収縮による主照射面の変形を抑制することができ、照明の品質を安定させることができる。
【００９１】
＜第４実施形態＞
次に第４実施形態に係る照明灯具１０Ｃについて説明する。図１４は、照明灯具１０Ｃの斜視図である。図１５は、照明灯具１０Ｃが天井２に設置された状態における断面図である。
【００９２】
照明灯具１０Ｃは、照明部１１におけるカバー１１３の主面１１３Ａと、拡張部１２における支持部材１２１の延長部１２３とが、同一平面上に設けられている点で、第３実施形態の照明灯具１０Ｂと異なる。また、同一平面上に設けるために、拡張部１２は、押さえ部１２３Ａと高さ調整部１２３Ｂを有する。
【００９３】
照明灯具１０Ｂでは、延長部１２３によってフランジ部１１３Ｃは支持されたが、照明灯具１０Ｃでは、延長部１２３よりも上方に位置する押さえ部１２３Ａによってフランジ部１１３Ｃは支持される。また、高さ調整部１２３Ｂは、延長部１２３が。カバー１１３の主面１１３Ａと同じ平面上に位置するように、押さえ部１２３Ａと延長部１２３との間を繋ぐ。
【００９４】
照明灯具１０Ｃによれば、天井２に設置したときに、照明空間側からみて、天井材２０と照明灯具１０Ｃが、同一平面上に並んで配置されるため、１または複数の照明灯具１０Ｃと１または複数の天井材２０とで構成される１の天井面を設けることができる。
【００９５】
＜第５実施形態＞
次に第５実施形態に係る照明灯具１０Ｄについて説明する。図１６は、照明灯具１０Ｄを第１面側からみた平面図である。照明灯具１０では、照明空間側からみた照明灯具１０Ｄの外形と、主照射面の外形とが、相似関係にあったが、照明灯具１０Ｄでは、照明空間側からみた照明灯具１０Ｄの外形と、主照射面の外形とが、相似関係にない。
【００９６】
図示される照明灯具１０Ｄでは、主面１１３Ａの外形は円形となっているが、外形の形状はこれに限らなくてもよい。このように、拡張部１２によって照明空間側における照明灯具１０Ｄの外形を天井バー４０の格子に合わせることができるため、照明部１１の主照射面の形状は特に制限されず、柔軟な照明設計が可能となる。
【産業上の利用可能性】
【００９７】
各実施形態に記載の照明灯具は、オフィスビルや駅構内等の種々の建築物の設置される照明分野で使用することができる。
【符号の説明】
【００９８】
１  建築物
２  天井
３  床
４  壁
５  窓
１０、１０Ａ、１０Ｂ、１０Ｃ、１０Ｄ  照明灯具
１１  照明部
１１１  光源
１１２  基板
１１３  カバー
１１３Ａ  主面
１１３Ｂ  側面
１１３Ｃ  フランジ部
１１４  ベースプレート
１１５  電気接続部
１２  拡張部
１２１  支持部材
１２２  固定部
１２３  延長部
１２３Ａ  押さえ部
１２３Ｂ  高さ調整部
１２４  取付部
２０  天井材
３０  電気配線
４０  天井バー
【図１】
2022000837.tif 000003
【図２】
2022000837.tif 000004
【図３】
2022000837.tif 000005
【図４】
2022000837.tif 000006
【図５】
2022000837.tif 000007
【図６】
2022000837.tif 000008
【図７】
2022000837.tif 000009
【図８】
2022000837.tif 000010
【図９】
2022000837.tif 000011
【図１０】
2022000837.tif 000012
【図１１】
2022000837.tif 000013
【図１２】
2022000837.tif 000014
【図１３】
2022000837.tif 000015
【図１４】
2022000837.tif 000016
【図１５】
2022000837.tif 000017
【図１６】
2022000837.tif 000018